(57)【要約】【課題】使用者ごとに操作可能な制御データを設定することができる空気調和機の遠隔制御器、空気調和システム、及びビル管理システムを得る。【解決手段】使用者を識別する使用者情報を入力させる使用者情報入力手段１４と、複数の使用者情報ごとに、使用者グループの情報が設定された使用者データベース１６と、複数の使用者グループごとに、操作可能な制御データの情報が設定された設定データベース１７と、使用者情報入力手段１４から入力された使用者情報と、使用者データベース１６及び設定データベース１７の情報とに基づき、入力された当該使用者情報に対する操作可能な制御データの情報を取得する識別処理部１３とを備えたものである。【選択図】図１
2011002202.tif 000002
【特許請求の範囲】
【請求項１】
空気調和機の運転操作を行う空気調和機の遠隔制御器であって、
使用者を識別する使用者情報を入力させる使用者情報入力手段と、
複数の前記使用者情報ごとに、使用者グループの情報が設定された使用者データ記憶手段と、
複数の前記使用者グループごとに、操作可能な制御データの情報が設定された設定データ記憶手段と、
前記使用者情報入力手段から入力された使用者情報と、前記使用者データ記憶手段及び前記設定データ記憶手段の情報とに基づき、入力された当該使用者情報に対する操作可能な制御データの情報を取得する識別処理部と
を備えたことを特徴とする空気調和機の遠隔制御器。
【請求項２】
前記制御データを入力させる操作入力手段と、
前記操作入力手段から入力された制御データが、前記識別処理部により取得された前記操作可能な制御データであるとき、当該制御データの入力操作を有効とする制御処理手段と、
前記制御データを前記空気調和機に送信する通信手段と
を備えたことを特徴とする請求項１記載の空気調和機の遠隔制御器。
【請求項３】
表示部を備え、
前記制御処理手段は、
前記操作入力手段から入力された制御データが、前記識別処理部により取得された前記操作可能な制御データでないとき、当該制御データの入力操作が不可である旨を前記表示部に表示させる
ことを特徴とする請求項１又は２記載の空気調和機の遠隔制御器。
【請求項４】
音声出力部を備え、
前記制御処理手段は、
前記操作入力手段から入力された制御データが、前記識別処理部により取得された前記操作可能な制御データでないとき、当該制御データの入力操作が不可である旨を前記音声出力部に報知させる
ことを特徴とする請求項１〜３の何れかに記載の空気調和機の遠隔制御器。
【請求項５】
前記使用者情報入力手段は、
ＩＣタグに記憶された前記使用者情報を読み取るＩＣタグリーダーである
ことを特徴とする請求項１〜４の何れかに記載の空気調和機の遠隔制御器。
【請求項６】
複数の空気調和機と、
前記複数の空気調和機を制御する集中制御装置と、
請求項１〜５の何れかに記載の空気調和機の遠隔制御器と
を備えたことを特徴とする空気調和システム。
【請求項７】
複数の空気調和機と、
前記複数の空気調和機を制御する集中制御装置と、
前記複数の空気調和機の少なくとも１つの運転操作を行う空気調和機の遠隔制御器と
を備え、
前記集中制御装置は、
使用者を識別する使用者情報を入力させる使用者情報入力手段と、
複数の前記使用者情報ごとに、使用者グループの情報が設定された使用者データ記憶手段と、
複数の前記使用者グループごとに、操作可能な制御データの情報が設定された設定データ記憶手段と、
前記使用者情報入力手段から入力された使用者情報と、前記使用者データ記憶手段及び前記設定データ記憶手段の情報とに基づき、入力された当該使用者情報に対する操作可能な制御データの情報を取得する識別処理部と
を備え、
前記空気調和機の遠隔制御器は、
前記制御データを入力させる操作入力手段と、
前記操作入力手段から入力された制御データが、前記識別処理部により取得された前記操作可能な制御データであるとき、当該制御データの入力操作を有効とする制御処理手段と、
前記制御データを前記空気調和機に送信する通信手段と
を備えたことを特徴とする空気調和システム。
【請求項８】
複数の空気調和機と、
前記複数の空気調和機を制御する集中制御装置と、
前記複数の空気調和機の少なくとも１つの運転操作を行う空気調和機の遠隔制御器と
を備え、
前記集中制御装置は、
使用者を識別する複数の使用者情報ごとに、使用者グループの情報が設定された使用者データ記憶手段と、
複数の前記使用者グループごとに、操作可能な制御データの情報が設定された設定データ記憶手段と、
入力された使用者情報と、前記使用者データ記憶手段及び前記設定データ記憶手段の情報とに基づき、入力された当該使用者情報に対する操作可能な制御データの情報を取得する識別処理部と
を備え、
前記空気調和機の遠隔制御器は、
前記使用者情報を入力させる使用者情報入力手段と、
前記制御データを入力させる操作入力手段と、
前記操作入力手段から入力された制御データが、前記識別処理部により取得された前記操作可能な制御データであるとき、当該制御データの入力操作を有効とする制御処理手段と、
前記制御データを前記空気調和機に送信する通信手段と
を備えたことを特徴とする空気調和システム。
【請求項９】
ビル内に設置された設備機器の制御を行うビル管理装置と、
空気調和機と、
請求項１〜５の何れかに記載の空気調和機の遠隔制御器と
を備えたことを特徴とするビル管理システム。
【請求項１０】
ビル内に設置された設備機器の制御を行うビル管理装置と、
空気調和機と、
前記空気調和機の運転操作を行う空気調和機の遠隔制御器と
を備え、
前記ビル管理装置は、
使用者を識別する使用者情報を入力させる使用者情報入力手段と、
複数の前記使用者情報ごとに、使用者グループの情報が設定された使用者データ記憶手段と、
複数の前記使用者グループごとに、操作可能な制御データの情報が設定された設定データ記憶手段と、
前記使用者情報入力手段から入力された使用者情報と、前記使用者データ記憶手段及び前記設定データ記憶手段の情報とに基づき、入力された当該使用者情報に対する操作可能な制御データの情報を取得する識別処理部と
を備え、
前記空気調和機の遠隔制御器は、
前記制御データを入力させる操作入力手段と、
前記操作入力手段から入力された制御データが、前記識別処理部により取得された前記操作可能な制御データであるとき、当該制御データの入力操作を有効とする制御処理手段と、
前記制御データを前記空気調和機に送信する通信手段と
を備えたことを特徴とするビル管理システム。
【請求項１１】
ビル内に設置された設備機器の制御を行うビル管理装置と、
空気調和機と、
前記空気調和機の運転操作を行う空気調和機の遠隔制御器と
を備え、
前記ビル管理装置は、
使用者を識別する複数の使用者情報ごとに、使用者グループの情報が設定された使用者データ記憶手段と、
複数の前記使用者グループごとに、操作可能な制御データの情報が設定された設定データ記憶手段と、
入力された使用者情報と、前記使用者データ記憶手段及び前記設定データ記憶手段の情報とに基づき、入力された当該使用者情報に対する操作可能な制御データの情報を取得する識別処理部と
を備え、
前記空気調和機の遠隔制御器は、
前記使用者情報を入力させる使用者情報入力手段と、
前記制御データを入力させる操作入力手段と、
前記操作入力手段から入力された制御データが、前記識別処理部により取得された前記操作可能な制御データであるとき、当該制御データの入力操作を有効とする制御処理手段と、
前記制御データを前記空気調和機に送信する通信手段と
を備えたことを特徴とするビル管理システム。
【発明の詳細な説明】
【技術分野】
【０００１】
本発明は、空気調和機の遠隔制御器、空気調和システム、及びビル管理システムに関するものである。
【背景技術】
【０００２】
従来の技術においては、例えば、「個々の空気調和機に対する運転／停止分布の設定データと運転対象空気調和機の運転状態設定データとで構成される複数の組み合わせパターンを入力する入力手段と、前記入力手段より入力された複数の組み合わせパターンを一括記憶する記憶手段と、ビル内の設備を統括管理するビル管理システムから受信したパターン番号により前記記憶手段より該当のパターンデータを読み出した上で前記パターンデータに基づいて複数の空気調和機を個別に制御する集中制御手段と、を具備することを特徴とする空気調和機の集中制御装置。」が提案されている（例えば、特許文献１参照）。
【先行技術文献】
【特許文献】
【０００３】
【特許文献１】特開平５−１９６２８５号公報（請求項１）
【発明の概要】
【発明が解決しようとする課題】
【０００４】
上記特許文献１に記載の技術では、遠隔制御手段による運転制御信号を有効と選択することにより、管理者不在となった場合でも各部屋に配設された遠隔制御手段にて各部屋の使用者が空気調和機の運転停止操作等を行うことが可能となる。
【０００５】
しかしながら、遠隔操作手段からの運転制御信号を有効にすると、使用者による遠隔操作手段の操作により、極端な温度設定の冷房・暖房運転をされるなど管理者の意図しない運転制御をされることで、多大な電気料金が請求される可能性があるという問題点が生じる。また、上記の問題点を考慮し、遠隔操作を常時禁止とした場合は、管理者により季節に応じた温度設定をしたり、運転期間などの詳細なスケジュール設定をする必要があり、管理者に多大な労力・負担がかかる。
また、従来の技術では、空気調和機の運転操作において、使用者に応じて操作可能な機能に制限を設けることができない、という問題点があった。
【０００６】
この発明は、上記のような課題を解決するためになされたもので、使用者ごとに操作可能な制御データを設定することができる空気調和機の遠隔制御器、空気調和システム、及びビル管理システムを得るものである。
【課題を解決するための手段】
【０００７】
この発明に係る空気調和機の遠隔制御器は、
空気調和機の運転操作を行う空気調和機の遠隔制御器であって、
使用者を識別する使用者情報を入力させる使用者情報入力手段と、
複数の前記使用者情報ごとに、使用者グループの情報が設定された使用者データ記憶手段と、
複数の前記使用者グループごとに、操作可能な制御データの情報が設定された設定データ記憶手段と、
前記使用者情報入力手段から入力された使用者情報と、前記使用者データ記憶手段及び前記設定データ記憶手段の情報とに基づき、入力された当該使用者情報に対する操作可能な制御データの情報を取得する識別処理部と
を備えたものである。
【０００８】
また、この発明に係る空気調和システムは、複数の空気調和機と、前記複数の空気調和機を制御する集中制御装置と、上記の空気調和機の遠隔制御器とを備えたものである。
【０００９】
また、この発明に係るビル管理システムは、ビル内に設置された設備機器の制御を行うビル管理装置と、空気調和機と、上記の空気調和機の遠隔制御器とを備えたものである。
【発明の効果】
【００１０】
この発明は、使用者情報入力手段から入力された使用者情報と、使用者データ記憶手段及び設定データ記憶手段の情報とに基づき、入力された当該使用者情報に対する操作可能な制御データの情報を取得する。このため、身勝手な使用者による極端な温度設定の冷房・暖房運転をされることもなくなり、各使用者に応じて適切な空気調和機の運転管理がなされる。また、管理者が各使用者の遠隔操作の許可・禁止設定のみしておけば、詳細なスケジュール設定を組む手間も軽減させることができる。
【図面の簡単な説明】
【００１１】
【図１】実施の形態１に係る遠隔制御器３のブロック構成図である。
【図２】実施の形態１に係る遠隔制御器３の外観図である。
【図３】実施の形態１に係る使用者データベース１６のデータ構成の一例を示す図である。
【図４】実施の形態１に係る設定データベース１７のデータ構成の一例を示す図である。
【図５】実施の形態１に係る遠隔制御器３の動作を示すフローチャートである。
【図６】実施の形態２に係る空気調和システムの全体構成図である。
【図７】実施の形態３に係る空気調和システムの全体構成図である。
【図８】実施の形態３に係る集中制御装置４及び遠隔制御器３のブロック構成図である。
【図９】実施の形態３に係る設定データベース１７のデータ構成の一例を示す図である。
【図１０】実施の形態３に係る集中制御装置４及び遠隔制御器３の動作を示すフローチャートである。
【図１１】実施の形態４に係る集中制御装置４及び遠隔制御器３のブロック構成図である。
【図１２】実施の形態５に係るビル管理システムの全体構成図である。
【図１３】実施の形態５に係るビル管理装置５及び集中制御装置４のブロック構成図である。
【図１４】実施の形態５に係るビル管理システムの全体構成図である。
【発明を実施するための形態】
【００１２】
実施の形態１．
＜構成＞
図１は実施の形態１に係る遠隔制御器３のブロック構成図である。
図１に示すように、本実施の形態の遠隔制御器３は、制御処理手段７、通信手段８、表示部１１、操作入力手段１２、使用者情報入力手段１４、記憶手段１５、及び音声出力部２４を備える。
遠隔制御器３は、通信用伝送線６により空気調和機１００と接続される。
この遠隔制御器３は、空気調和機１００の運転操作を行うものである。
【００１３】
なお、遠隔制御器３は、本発明における「空気調和機の遠隔制御器」に相当する。
【００１４】
なお、本実施の形態においては、通信用伝送線６により、遠隔制御器３と空気調和機１００とを有線により接続する場合を説明するが、本発明はこれに限るものではなく、遠隔制御器３と空気調和機１００との間を無線通信により接続するようにしても良い。
【００１５】
図２は実施の形態１に係る遠隔制御器３の外観図である。
図２に示すように、表示部１１、操作入力手段１２、使用者情報入力手段１４、及び音声出力部２４は、遠隔制御器３の前面側に設けられる。
また、操作入力手段１２の各ボタンの前面には、操作入力ロック用カバー１２ａが開閉自在に設けられている。
この操作入力ロック用カバー１２ａは、図示しないロック機構により、閉じ位置に保持される。ロック機構としては、例えばソレノイドやモータ及びギヤ機構等から構成され、制御処理手段７からの制御により作動し、操作入力ロック用カバー１２ａを閉じ位置に保持するロック状態、又は操作入力ロック用カバー１２ａの保持を解除して開閉自在とする解除状態にすることが可能である。
【００１６】
通信手段８は、送受信ドライバ９、及び通信処理部１０を備える。
この通信手段８は、制御データ等を空気調和機１００に送信するものである。
送受信ドライバ９は、通信用伝送線６を介して空気調和機１００と接続され、空気調和機１００と遠隔制御器３との間の信号を送受信する。
通信処理部１０は、この遠隔制御器３からの送信信号及び空気調和機１００からの受信信号の通信処理を行う。
【００１７】
表示部１１は、例えばＬＣＤ（Liquid Crystal Display）などで構成される。
この表示部１１は、空気調和機１００の運転状態の情報や、手元操作禁止である旨の情報（後述）などを表示する。詳細は後述する。
【００１８】
操作入力手段１２は、例えば、空気調和機１００の運転／停止の操作を行うボタン、設定温度などの数値を入力する数値変更ボタンなどにより構成される。
この操作入力手段１２は、空気調和機１００の運転を操作するための制御データを入力させるものである。
【００１９】
使用者情報入力手段１４は、使用者を識別する使用者情報を入力させる。
使用者情報入力手段１４は、例えば、ＩＣタグ（ＲＦＩＤ：Radio frequency identification）に記憶された使用者情報を読み取るＩＣタグリーダーにより構成される。
なお、使用者情報入力手段１４は、これに限らず、例えばテンキーなどにより構成し、使用者からの操作により使用者情報を入力させるようにしても良い。
【００２０】
記憶手段１５は、使用者データベース１６、及び設定データベース１７が記憶される。
この記憶手段１５は、例えばフラッシュメモリなどの記憶装置で構成することができる。
なお、本実施の形態では、記憶手段１５に、使用者データベース１６、及び設定データベース１７を記憶する場合を説明するが、本発明はこれに限るものではなく、使用者データベース１６、及び設定データベース１７をそれぞれ別個の記憶装置に記憶させるようにしても良い。
【００２１】
なお、使用者データベース１６は、本発明における「使用者データ記憶手段」に相当する。
なお、設定データベース１７は、本発明における「設定データ記憶手段」に相当する。
【００２２】
制御処理手段７は、当該遠隔制御器３からの各種データを含む送信信号、及び空気調和機１００からの受信信号を監視しながらそのデータに基づく処理を行って空気調和機１００の運転状態などの動作について遠隔制御する。
【００２３】
また、制御処理手段７は、識別処理部１３を備える。
識別処理部１３は、使用者情報入力手段１４から入力された使用者情報と、記憶手段１５に記憶された使用者データベース１６及び設定データベース１７の情報とに基づき、入力された当該使用者情報に対する操作可能な制御データの情報を取得する。
なお、以下の説明において、識別処理部１３により、使用者情報に対する操作可能な制御データの情報の取得を、「使用者のアクセス登録」と称する。
【００２４】
なお、制御処理手段７及び識別処理部１３は、これらの機能を実現する回路デバイスなどのハードウェアで実現することもできるし、マイコンやＣＰＵなどの演算装置上で実行されるソフトウェアとして実現することもできる。
【００２５】
以上、本実施の形態における遠隔制御器３の構成について説明した。
次に、遠隔制御器３の記憶手段１５に記憶される使用者データベース１６及び設定データベース１７のデータ構成について説明する。
【００２６】
図３は実施の形態１に係る使用者データベース１６のデータ構成の一例を示す図である。
図３に示すように、使用者データベース１６は、複数の使用者情報ごとに、使用者グループの情報が設定されている。
使用者情報としては、例えば社員番号など、個人を特定することができる番号や記号が想定される。
使用者グループの情報としては、例えば、操作を許可しない使用者、一部の操作のみを許可する一般使用者、空気調和機１００の管理や保守を行うため全ての操作を許可する管理者など、使用パターンごとにグループ１〜４を設定する。
なお、本実施の形態においては、４つのグループを設定するが、任意の数のグループを設定することができる。
なお、使用者情報が未知の場合は、予め設定した任意のグループに設定するようにしても良い。図３においては、未知の使用者情報の場合にはグループ４に設定する。
【００２７】
図４は実施の形態１に係る設定データベース１７のデータ構成の一例を示す図である。
図４に示すように、設定データベース１７は、複数の使用者グループごとに、操作可能な制御データの情報が設定されている。
制御データとしては、例えば空気調和機１００の運転／停止、運転モード、設定温度などが設定される。
そして、各グループごとに、これらの制御データの操作可否（許可・禁止）の情報が設定される。
なお、制御データは、上記に限らず例えば風向、風量など、任意の制御データを設定することができる。
【００２８】
＜動作＞
次に、本実施の形態における遠隔制御器３の動作について説明する。
【００２９】
図５は実施の形態１に係る遠隔制御器３の動作を示すフローチャートである。
以下、図５の各ステップに基づき説明する。
【００３０】
（Ｓ１０１）
まず、使用者は、空気調和機１００に対して遠隔制御を行う場合、あらかじめ管理者などが、多数の使用者を使用パターンごとにグループ分けするための設定と、使用者グループごとに空気調和機１の運転／停止、運転モード、温度設定などの各制御内容の、操作のアクセス（許可・禁止）権限を設定した使用者データベース１６および設定データベース１７の記憶内容を保持したメモリカードを、カードリーダーなどの使用者情報入力手段１１によりデータ入力し、記憶手段２０の使用者データベース１６および設定データベース１７に記憶させておく。
次に、使用者は、空気調和機１００に対して遠隔制御を行う場合、当該使用者の使用者情報が記憶されたＩＣタグなどを搭載したＩＣカード等を、ＩＣタグリーダーにより構成された使用者情報入力手段１４にかざす。
使用者情報入力手段１４は、例えば電磁誘導によりＩＣカードに設けられたコイルと磁束結合して、ＩＣタグに記録された使用者情報を読み取る。
そして、使用者情報入力手段１４は、読み込んだ使用者情報を制御処理手段７へ入力する。
【００３１】
（Ｓ１０２）
制御処理手段７に設けられた識別処理部１３は、使用者情報入力手段１４から入力された使用者情報と、記憶手段１５に記憶された使用者データベース１６とを照合し、当該使用者情報に対応するグループＮｏを取得する。
例えば図３の例において、使用者情報として「１２３」が入力された場合、グループＮｏとして「グループ３」を取得する。
【００３２】
（Ｓ１０３）
識別処理部１３は、取得した使用者グループのグループＮｏと、記憶手段１５に記憶された設定データベース１７とを照合し、当該使用者グループに対応する制御データの操作可否の情報を取得する。
例えば図４の例において、グループＮｏとして「グループ３」を取得した場合、制御データの操作可否の情報として、運転／停止「許可」、運転モード「禁止」、温度「禁止」を取得する。
このように、入力された使用者情報に対する操作可能な制御データの情報を取得することで、使用者のアクセス登録を行う。
【００３３】
（Ｓ１０４）
次に、制御処理手段７は、操作入力手段１２のロック機能を解除し、操作入力ロック用カバー１２ａを開けることを可能とする。そして、操作入力手段１２からの入力操作があるまで待機する。
使用者は、操作入力手段１２を操作して、任意の制御データの入力・更新操作を行う。
操作入力手段１２は、入力操作された制御データを制御処理手段７に入力する。
【００３４】
（Ｓ１０５）
制御処理手段７は、操作入力手段１２から入力された制御データが、識別処理部１３により取得された操作可能な制御データであるか否かを判断する。
【００３５】
（Ｓ１０６）
操作入力手段１２から入力された制御データが、識別処理部１３により取得された操作可能な制御データであるとき、制御処理手段７は、当該制御データの入力操作を有効とする。
例えば、今、運転／停止の制御データを、「運転」状態から「停止」状態に更新する入力操作がされた場合を考える。この場合、上記ステップＳ１０３でのアクセス登録により、使用者情報「１２３」による「運転／停止」の入力操作は、「許可」設定となっているので、制御処理手段７は、当該入力操作を有効とする。
【００３６】
そして、制御処理手段７は、入力操作を有効とした制御データについて、操作入力手段１２からの操作入力に応じて制御データの書き込み処理を行い、当該制御データを入力・更新する。
例えば、運転／停止の制御データを、「運転」状態から「停止」状態に更新する入力操作がされた場合、制御処理手段７は、運転／停止の制御データを「運転」状態から「停止」状態に更新する。
そして、制御処理手段７は、通信手段８により、当該制御データを空気調和機１００に送信させる。
【００３７】
空気調和機１００は、遠隔制御器３からの制御データを受信し、当該制御データに応じて当該空気調和機１００の運転状態を制御する。
例えば、遠隔制御器３から受信した運転／停止の制御データが「停止」のとき、当該空気調和機１００を運転状態から停止状態に移行させる。
【００３８】
（Ｓ１０７）
一方、操作入力手段１２から入力された制御データが、識別処理部１３により取得された操作可能な制御データでないとき、制御処理手段７は、当該制御データの入力操作を無効とする。
例えば、運転モードの制御データを、「暖房」状態から「冷房」状態に更新する入力操作がされた場合を考える。この場合、上記ステップＳ１０３でのアクセス登録により、使用者情報「１２３」による「運転モード」の入力操作は、「禁止」設定となっているので、制御処理手段７は、当該入力操作を無効とする。
これにより、入力操作を無効とした制御データについて、操作入力手段１２からの操作入力に応じた制御データの書き込み処理を行わず、当該制御データの入力・更新はなされないこととなる。
【００３９】
そして、制御処理手段７は、当該制御データの入力操作が不可である旨を表示部１１に表示させる。
例えば、表示部１１に、手元操作禁止である旨の情報として「運転モードの操作は禁止されています。」などと表示する。
【００４０】
なお、このとき、入力操作が許可されている制御データの内容を表示するようにしても良い。例えば、表示部１１に「運転／停止の操作のみ可能です。」などと表示する。これにより、使用者は、どの制御データについて操作が可能であるかを知ることができ、使用者の利便性を向上させることができる。
【００４１】
なお、本実施の形態においては、表示部１１に入力操作が不可である旨を表示させる場合を説明したが、これに加え又はこれに代えて、例えば音声を出力する音声出力部を設けて、警告音やメッセージにより、入力操作が不可である旨を使用者に知らせるようにしても良い。
【００４２】
（Ｓ１０８）
次に、制御処理手段７は、操作入力手段１２から入力終了の操作がされたか否かを判断する。
入力終了の操作がない場合は、上記ステップＳ１０４〜Ｓ１０７を繰り返し、上記ステップＳ１０３によりアクセス登録した使用者の権限に応じた入力操作を行う。
【００４３】
一方、操作入力手段１２から入力終了の操作がされた場合、上記ステップＳ１０３によるアクセス登録を削除し、当該使用者に対する入力操作の動作を終了する。
この入力終了の操作としては、例えば、操作入力ロック用カバー１２ａを閉めることで再度、操作入力手段１２へのロックを掛け、アクセス登録を削除し、使用者情報入力待ち状態とする。なお、以下の説明においても同様とする。
なお、操作入力手段１２からの操作が一定時間以上ない場合に、入力操作の終了を判断しても良い。これにより、ステップＳ１０１において使用者情報を入力した使用者以外の者が、当該遠隔制御器３の操作するのを防止することができる。
【００４４】
＜効果＞
以上のように本実施の形態においては、使用者情報入力手段１４から入力された使用者情報と、使用者データベース１６及び設定データベース１７の情報とに基づき、入力された当該使用者情報に対する操作可能な制御データの情報を取得する。このため、不特定多数の使用者が遠隔制御器３を使用して空気調和機１００を操作する際に、使用者ごとに操作可能な制御データを設定することができる。
【００４５】
また、使用者ごとの使用パターンに応じた使用者グループを設定して、この使用者グループごとに制御データの操作可否の情報を設定する。このため、使用者に応じて操作可能な制御データに制限を設けることができ、管理者等が意図しない操作がされることを防止することができる。
【００４６】
また、使用者ごとの使用パターンに応じた使用者グループを設定するので、各使用者ごとに制御データの操作可否の情報を設定する必要がなく、アクセス登録を設定する手間を軽減することができる。
【００４７】
また、遠隔制御器３の記憶手段に、予め、使用者データベース１６及び設定データベース１７を記憶させて、この使用者データベース１６及び設定データベース１７の情報とに基づき、使用者のアクセス登録をする。このため、管理者等が使用者ごとに操作可否に関する設定をすることなく、使用者ごとに入力操作の許可・禁止の設定をすることができる。これにより、利便性を向上させることができる。
【００４８】
実施の形態２．
＜構成＞
図６は実施の形態２に係る空気調和システムの全体構成図である。
図６に示すように、本実施の形態における空気調和システムは、空気調和機１００としての複数の室内機１、及び複数の室外機２を備える。また、空気調和システムは、遠隔制御器３、及び集中制御装置４を備える。
【００４９】
なお、室内機１及び室外機２は、本発明における「空気調和機」に相当する。
【００５０】
集中制御装置４は、複数の室内機１及び複数の室外機２の運転を集中制御するものである。
集中制御装置４は、通信用伝送線６により、各室内機１及び各室外機２と接続される。
集中制御装置４は、各室内機１及び各室外機２に対して運転状態を制御する制御データ等を送信する。また、各室内機１及び各室外機２からの運転状態などの各種データを受信する。
【００５１】
室外機２は、各室内機１と冷媒配管により接続されており、配管中を流れる冷媒の圧力を変化させて冷媒の吸熱、放熱により空気調和を行う。
室外機２は図示しない圧縮機、室外機側熱交換器、室外機側ファン、室外機側膨張弁、四方弁などを備える。
室外機２は、集中制御装置４又は遠隔制御器３からの制御データ等に基づいて、当該室外機２を構成する各手段の動作を制御する。
【００５２】
室内機１は、図示しない室内機側熱交換器、室内機側ファン、室内機側膨張弁などを備える。
室内機１は、集中制御装置４又は遠隔制御器３からの制御データ等に基づいて、当該室内機１を構成する各手段の動作を制御する。
【００５３】
遠隔制御器３は、通信用伝送線６により、１又は複数の室内機１と接続される。
遠隔制御器３の構成及び動作は上記実施の形態１と同様である。
【００５４】
図６に示すように、本実施の形態においては、遠隔制御器３Ａは、室内機１ａ−１及び１ａ−２と接続され、当該室内機１ａ−１及び１ａ−２、並びにこれに対応する室外機２ａの運転操作を行う。
また、遠隔制御器３Ｂは、室内機１ｂと接続され、当該室内機１ｂ、及びこれに対応する室外機２ａの運転操作を行う。
また、遠隔制御器３Ｃは、室内機１ｃ−１、１ｃ−２、及び１ｃ−３と接続され、当該室内機１ｃ−１、１ｃ−２、及び１ｃ−３、並びにこれに対応する室外機２ｂの運転操作を行う。
【００５５】
各遠隔制御器３は、それぞれ、当該遠隔制御器３を使用する使用者の使用パターンに応じた使用者グループの情報を、使用者データベース１６として設定される。
また、各遠隔制御器３は、それぞれ、当該遠隔制御器３が運転操作する室内機１及び室外機２に対する制御データの操作可否の情報が設定データベース１７として設定される。
【００５６】
以上のような構成により、各遠隔制御器３は、上記実施の形態１と同様の動作により、それぞれ、使用者情報に応じて使用者のアクセス登録を行い、使用者ごとに入力操作の許可・禁止の設定をする。
【００５７】
＜効果＞
以上のように本実施の形態においては、複数の室内機１及び室外機２を有する空気調和システムにおいて、上記実施の形態１と同様の効果を奏することができる。
また、各遠隔制御器３は、使用者グループごとに制御データの操作可否の情報を設定する。このため、各遠隔制御器３において、各使用者ごとに制御データの操作可否の情報を設定する必要がなく、アクセス登録を設定する手間を軽減することができる。
【００５８】
なお、本実施の形態２においては、室内機１と集中制御装置４との間の通信用伝送線６と、室内機１と遠隔制御器３との間の通信用伝送線６とが同一伝送線上にはない場合について記載したが、図７に示すように、通信用伝送線６が同一伝送線上である場合も、同様の制御を行うことができる。
【００５９】
実施の形態３．
上記実施の形態２では、空気調和システムにおいて、各遠隔制御器３に、それぞれ、識別処理部１３、設定データベース１７、及び使用者データベース１６を備えた場合を説明した。
本実施の形態では、空気調和システムにおいて、集中制御装置４に、識別処理部１３、設定データベース１７、及び使用者データベース１６を備え、なおかつ、空気調和機１・集中制御装置４間の通信用伝送線６と空気調和機１・遠隔制御器３間の通信用伝送線６が同一伝送線上にある形態について説明する。
【００６０】
＜構成＞
本実施の形態における空気調和システムは、上記実施の形態２（図７）と同様に、複数の室内機１、複数の室外機２、複数の遠隔制御器３、及び集中制御装置４を備える。
なお、上記実施の形態２と同一部分には同一の符号を付する。
【００６１】
図８は実施の形態３に係る集中制御装置４及び遠隔制御器３のブロック構成図である。
図８に示すように、本実施の形態における遠隔制御器３は、制御処理手段７、通信手段８、表示部１１、操作入力手段１２、記憶手段１５及び音声出力部２４を備える。
また、本実施の形態における集中制御装置４は、使用者情報入力手段１４、制御処理手段１８、通信手段１９、及び記憶手段２０を備える。
集中制御装置４と遠隔制御器３は、通信用伝送線６により接続される。
【００６２】
（遠隔制御器３）
本実施の形態における遠隔制御器３は、上記実施の形態１の構成に代えて、使用者情報入力手段１４、識別処理部１３、使用者データベース１６、及び設定データベース１７を設けない構成である。
その他の構成は上記実施の形態１の構成と同様であり、同一部分には同一の符号を付する。
【００６３】
（集中制御装置４）
集中制御装置４の使用者情報入力手段１４は、上記実施の形態１における遠隔制御器３に備えた使用者情報入力手段１４と同様の構成、動作を行うものである。
【００６４】
制御処理手段１８は、当該集中制御装置４からの各種データを含む送信信号、並びに、各室内機１及び各室外機２からの受信信号を監視しながらそのデータに基づく処理を行って、各室内機１及び各室外機２の動作を集中制御する。
【００６５】
また、制御処理手段１８は、識別処理部１３を備える。この識別処理部１３は、上記実施の形態１における遠隔制御器３に備えた識別処理部１３と同様の構成、動作を行うものである。
【００６６】
通信手段１９は、通信用伝送線６を介して、各室内機１及び各室外機２、並びに、各遠隔制御器３と接続される。
この通信手段１９は、アクセス登録の情報を各遠隔制御器３へ送信する。
【００６７】
記憶手段２０は、使用者データベース１６、及び設定データベース１７が記憶される。
使用者データベース１６は、上記実施の形態１において遠隔制御器３の記憶手段１５に記憶された使用者データベース１６と同様の内容である。
【００６８】
次に、本実施の形態における設定データベース１７のデータ構成について説明する。
【００６９】
図９は実施の形態３に係る設定データベース１７のデータ構成の一例を示す図である。
図９に示すように、本実施の形態における設定データベース１７は、複数の使用者グループごとに、各遠隔制御器３において操作可能な制御データの情報が設定されている。
例えば図７における空気調和システムの構成においては、３台の遠隔制御器３Ａ〜３Ｃを備えているので、図９に示すように、遠隔制御器３Ａ〜３Ｃに対して、それぞれ各使用者グループ１〜４における制御データの操作可否の情報が設定される。
【００７０】
＜動作＞
次に、本実施の形態における集中制御装置４及び遠隔制御器３の動作について説明する。
【００７１】
図１０は実施の形態３に係る集中制御装置４及び遠隔制御器３の動作を示すフローチャートである。
以下、図１０の各ステップに基づき、実施の形態１との相違点を中心に説明する。
なお、上記実施の形態１と同様の動作には同一のステップ番号を付する。
【００７２】
（Ｓ２０１）
まず、実施の形態１と同様に、あらかじめ集中制御装置４において、管理者などが、多数の使用者を使用パターンごとにグループ分けするための設定と、使用者グループごとに空気調和機１の運転／停止、運転モード、温度設定などの各制御内容の、操作のアクセス（許可・禁止）権限の設定をすることにより、記憶手段２０の使用者データベース１６および設定データベース１７に記憶させておく。
次に、使用者は、当該使用者の使用者情報が記憶されたＩＣタグなどを搭載したＩＣカード等を、ＩＣタグリーダーにより構成された集中制御装置４の使用者情報入力手段１４にかざす。
使用者情報入力手段１４は、例えば電磁誘導によりＩＣカードに設けられたコイルと磁束結合して、ＩＣタグに記録された使用者情報を読み取る。
そして、使用者情報入力手段１４は、読み込んだ使用者情報を制御処理手段１８へ入力する。
【００７３】
（Ｓ２０２）
制御処理手段１８に設けられた識別処理部１３は、使用者情報入力手段１４から入力された使用者情報と、記憶手段２０に記憶された使用者データベース１６とを照合し、当該使用者情報に対応するグループＮｏを取得する。
【００７４】
（Ｓ２０３）
識別処理部１３は、取得した使用者グループのグループＮｏと、記憶手段２０に記憶された設定データベース１７とを照合し、当該使用者グループに対応する制御データの操作可否の情報を取得する。
例えば図９の例において、グループＮｏとして「グループ３」を取得した場合、制御データの操作可否の情報として、遠隔制御器Ａについて運転／停止「許可」、運転モード「禁止」、温度「禁止」を取得し、遠隔制御器Ｂについて運転／停止「許可」、運転モード「禁止」、温度「禁止」を取得し、遠隔制御器Ｃについて運転／停止「禁止」、運転モード「禁止」、温度「禁止」を取得する。
このように、入力された使用者情報に対する操作可能な制御データの情報を取得することで、使用者のアクセス登録を行う。
【００７５】
（Ｓ２０４）
次に、集中制御装置４の制御処理手段１８は、取得した制御データの操作可否の情報（以下「アクセス登録の情報」ともいう。）を、通信手段１９により、各遠隔制御器３に対して送信させる。
【００７６】
（Ｓ２０５）
遠隔制御器３の通信手段８は、集中制御装置４から送信されたアクセス登録の情報を受信する。制御処理手段７は、受信したアクセス登録の情報を記憶手段１５に記憶させる。
【００７７】
（Ｓ１０４〜Ｓ１０７）
各遠隔制御器３は、それぞれ、上記実施の形態１と同様の動作により、集中制御装置４から取得した当該遠隔制御器３に対するアクセス登録の情報に基づいて、制御データの入力操作、又は入力操作が不可である旨を表示を行う。
【００７８】
（Ｓ１０８）
次に、制御処理手段７は、操作入力手段１２から入力終了の操作がされたか否かを判断する。
入力終了の操作がない場合は、上記ステップＳ１０４〜Ｓ１０７を繰り返し、上記ステップＳ１０３によりアクセス登録した使用者の権限に応じた入力操作を行う。
【００７９】
（Ｓ２０６）
各遠隔制御器３の制御処理手段７は、操作入力手段１２から入力終了の操作がされた場合、通信手段８により、操作入力が終了した旨の情報を集中制御装置４に送信させる。
【００８０】
（Ｓ２０７）
集中制御装置４の制御処理手段１８は、通信手段１９により、遠隔制御器３からの操作入力終了の情報を受信すると、上記ステップＳ２０３によるアクセス登録を削除し、当該使用者に対する入力操作の動作を終了する。
なお、アクセス登録情報の送信から一定時間以上経過した場合に、入力操作の終了を判断しても良い。これにより、ステップＳ２０１において使用者情報を入力した使用者以外の者が、遠隔制御器３の操作するのを防止することができる。
【００８１】
＜効果＞
以上のように本実施の形態においては、集中制御装置４に、識別処理部１３、使用者データベース１６、及び設定データベース１７を設ける。このため、上記実施の形態１及び２の効果に加え、各遠隔制御器３の構成を簡略化することができ、遠隔制御器３のコストを削減することができる。
【００８２】
また、集中制御装置４から、各遠隔制御器３に対してアクセス登録の情報が送信される。このため、使用者は、複数の遠隔制御器３を操作する場合、各遠隔制御器３ごとに使用者情報を入力する必要がなく、利便性、操作性を向上させることができる。
【００８３】
また、集中制御装置４に記録された設定データベース１７により、複数の遠隔制御器３に対して、使用者グループごとに制御データの操作可否の情報を設定する。このため、各遠隔制御器３の操作可否の情報を一元管理することが可能となり、利便性を向上させることが可能となる。
【００８４】
実施の形態４．
以上の実施の形態３では、集中制御装置４に使用者情報入力手段１４および識別処理部１３、使用者データベース１６、設定データベース１７を保持させたものであるが、次に、識別処理部１３、使用者データベース１６、設定データベース１７は集中制御装置４に保持させたままで、使用者情報入力手段１４のみを遠隔制御器３に保持させた場合の実施の形態４を説明する。
【００８５】
図１１は実施の形態４に係る集中制御装置４及び遠隔制御器３のブロック構成図である。
実施の形態４では、空気調和機１に対して遠隔制御を行う場合、あらかじめ集中制御装置４において、実施の形態３と同様に、記憶手段２０の使用者データベース１６および設定データベース１７に設定情報を記憶させておく。そして、個人情報識別用のＩＣタグなどを搭載したカードから遠隔制御器３の使用者情報入力手段１４により使用者情報の読み込みを行い、読み込まれた情報を、通信手段８の通信処理部１０でデータの送受信を行うための処理を行い、送受信ドライバ９から通信用伝送線６を介して集中制御装置４に送信する。使用者情報を受信した集中制御装置４は、実施の形態３と同様の処理を行い、遠隔制御器３にアクセス登録の情報を送信する。受信した遠隔制御器３は、アクセス登録の情報に基づいて、実施の形態１と同様の処理を行う。
【００８６】
以上のように、識別処理部１２、使用者データベース８、設定データベース９は集中制御装置４に保持させ、使用者情報入力手段１１を遠隔制御器３に保持させるようにしているので、最小限のコストで、各遠隔制御器３から使用者情報を入力することが可能となり、実施の形態３と同様の効果も得られる。
【００８７】
実施の形態５．
＜構成＞
図１２は実施の形態５に係るビル管理システムの全体構成図である。
図１２に示すように、本実施の形態におけるビル管理システムは、複数の室内機１、複数の室外機２、遠隔制御器３、集中制御装置４、及びビル管理装置５を備える。
ビル管理装置５は、ビル内に設置された設備機器の制御を行うものである。
ビル管理装置５は、設備機器としての空気調和システムに接続される。
なお、設備機器としては、これに加え、照明設備、入退場管理システムなどを接続するようにしても良い。
空気調和システムを構成する、複数の室内機１、複数の室外機２、及び遠隔制御器３の構成は上記実施の形態３の構成と同様であり、同一部分には同一の符号を付する。
【００８８】
（集中制御装置４）
本実施の形態における集中制御装置４は、上記実施の形態３の構成に代えて、使用者情報入力手段１４、識別処理部１３、使用者データベース１６、及び設定データベース１７を設けない構成である。
その他の構成は上記実施の形態３の構成と同様である。
【００８９】
（ビル管理装置５）
図１３は実施の形態５に係るビル管理装置５及び集中制御装置４のブロック構成図である。
図１３に示すように、本実施の形態におけるビル管理装置５は、使用者情報入力手段１４、制御処理手段２１、通信手段２２、及び記憶手段２３を備える。
ビル管理装置５と集中制御装置４は、通信用伝送線６により接続される。
【００９０】
ビル管理装置５の使用者情報入力手段１４は、上記実施の形態１における遠隔制御器３に備えた使用者情報入力手段１４と同様の構成、動作を行うものである。
【００９１】
制御処理手段２１は、当該ビル管理装置５に接続された１又は複数の設備機器からの情報を取得して、当該設備機器の監視及び制御を行う。
【００９２】
また、制御処理手段２１は、識別処理部１３を備える。この識別処理部１３は、上記実施の形態１における遠隔制御器３に備えた識別処理部１３と同様の構成、動作を行うものである。
【００９３】
通信手段２２は、通信用伝送線６を介して、空気調和システムの集中制御装置４と接続される。そして、この通信手段１９はアクセス登録の情報を、集中制御装置４を介して、各遠隔制御器３へ送信する。
なお、通信手段２２は、空気調和システムに加えて、照明設備、入退場管理システムなどを、通信用伝送線６を介して接続するようにしても良い。
【００９４】
記憶手段２３は、使用者データベース１６、及び設定データベース１７が記憶される。
使用者データベース１６及び設定データベース１７は、上記実施の形態３と同様の内容である。
【００９５】
＜動作＞
以上のような構成により、使用者は、ビル管理装置５に設けられた使用者情報入力手段１４に使用者情報を入力する。
ビル管理装置５は、上記実施の形態３の集中制御装置４と同様の動作により、アクセス登録を行い、当該アクセス登録の情報を、集中制御装置４を介して、空気調和システムの各遠隔制御器３に送信する。
以降、各遠隔制御器３の動作は、上記実施の形態３と同様である。
【００９６】
＜効果＞
以上のように本実施の形態においては、空気調和システムと接続されるビル管理システムにおいても、上記実施の形態３と同様の効果を奏することができる。
【００９７】
なお、本実施の形態では、ビル管理装置５に使用者情報入力手段１４を設ける場合を説明したが、使用者情報を取得できるものであればこれに限るものではない。
例えば、ビル管理装置５に、設備機器としての入退室管理システムを接続し、空気調和機１００が設けられた部屋に使用者が入室した旨の情報を取得したとき、当該使用者を識別する情報を「使用者情報」として取得するようにしても良い。
これにより、使用者は、空気調和システムと入退室管理システムとで別個に使用者情報を入力する必要が無くなり、利便性を向上させることができる。
【００９８】
なお、上記実施の形態３〜５においては、室内機１と集中制御装置４との間の通信用伝送線６と、室内機１と遠隔制御器３との間の通信用伝送線６とが同一伝送線上にある場合について記載したが、図１４に示すように、通信用伝送線６が同一伝送線上でない場合も、同様の制御を行うことができる。
また、ビル管理装置５及び遠隔制御器３の構成を、実施の形態４の集中制御装置４及び遠隔制御器３と同様の構成とすることで、実施の形態４と同様の効果を奏することができる。
【符号の説明】
【００９９】
１  室内機、２  室外機、３  遠隔制御器、４  集中制御装置、５  ビル管理装置、６  通信用伝送線、７  制御処理手段、８  通信手段、９  送受信ドライバ、１０  通信処理部、１１  表示部、１２  操作入力手段、１２ａ  操作入力ロック用カバー、１３  識別処理部、１４  使用者情報入力手段、１５  記憶手段、１６  使用者データベース、１７  設定データベース、１８  制御処理手段、１９  通信手段、２０  記憶手段、２１  制御処理手段、２２  通信手段、２３  記憶手段、２４  音声出力部、１００  空気調和機。
【図１】
2011002202.tif 000003
【図２】
2011002202.tif 000004
【図３】
2011002202.tif 000005
【図４】
2011002202.tif 000006
【図５】
2011002202.tif 000007
【図６】
2011002202.tif 000008
【図７】
2011002202.tif 000009
【図８】
2011002202.tif 000010
【図９】
2011002202.tif 000011
【図１０】
2011002202.tif 000012
【図１１】
2011002202.tif 000013
【図１２】
2011002202.tif 000014
【図１３】
2011002202.tif 000015
【図１４】
2011002202.tif 000016